(57)【要約】【課題】ユーザ間の意思疎通を図ることができる検索システムおよび検索装置を提供すること。【解決手段】ナビゲーション装置２ａにおいて、ＣＰＵ１１は、送受信機９を通じて検索キーを提供する。ナビゲーション装置２ｂにおいて、ＣＰＵ１１は、送受信機９を通じて検索キーを取得する。ＣＰＵ１１は、読取機８を通じてＤＶＤ−ＲＡＭに格納された第２の情報群から検索キーに合致した特定の情報を検索する。合致情報が第２の情報群に存在すれば、ＣＰＵ１１は、送受信機９を通じて第２の情報群から検索された特定の情報を提供する。ナビゲーション装置２ａにおいて、ＣＰＵ１１は、送受信機９を通じて合致情報を取得する。ＣＰＵ１１は、特定の情報が示す目的物の所在地などをディスプレイ１３上に表示する。【選択図】図４
2005196383.tif 000002
【特許請求の範囲】
【請求項１】
検索キーを用いて第１のエリア情報から特定の情報を検索する第１の検索手段と、前記第１の検索手段によって用いられた検索キーを通信によって提供する検索キー提供手段とを備える第１の検索装置と、
前記検索キー提供手段によって提供された検索キーを通信によって取得する検索キー取得手段と、前記検索キー取得手段によって取得された検索キーを用いて第２のエリア情報から特定の情報を検索する第２の検索手段とを備える第２の検索装置とを有することを特徴とする検索システム。
【請求項２】
前記検索キー提供手段は、前記検索キーを所定の条件に合致した提供先に提供することを特徴とする請求項１に記載の検索システム。
【請求項３】
前記検索キー取得手段は、前記検索キーを所定の条件に合致した提供元から取得することを特徴とする請求項１または請求項２に記載の検索システム。
【請求項４】
前記第２の検索手段によって検索された特定の情報を通信によって提供する特定情報提供手段を前記第２の検索装置に備え、
前記特定情報提供手段によって提供された特定の情報を通信によって取得する特定情報取得手段を前記第１の検索装置に備えていることを特徴とする請求項１ないし請求項３の何れかに記載の検索システム。
【請求項５】
前記特定情報提供手段は、前記特定の情報を所定の条件に合致した提供先に提供することを特徴とする請求項４に記載の検索システム。
【請求項６】
前記特定情報取得手段は、前記特定の情報を所定の条件に合致した提供元から取得することを特徴とする請求項４または請求項５に記載の検索システム。
【請求項７】
検索キーを用いてエリア情報から特定の情報を検索する検索手段と、
前記検索手段によって用いられた検索キーを通信によって提供する検索キー提供手段とを備えることを特徴とする検索装置。
【請求項８】
前記検索キー提供手段は、前記検索キーを所定の条件に合致した提供先に対して提供することを特徴とする請求項７に記載の検索装置。
【請求項９】
検索キーを通信によって取得する検索キー取得手段と、
前記検索キー取得手段によって取得された検索キーを用いてエリア情報から特定の情報を検索する検索手段とを備えることを特徴とする検索装置。
【請求項１０】
前記検索キー取得手段は、前記検索キーを所定の条件に合致した提供元から取得することを特徴とする請求項９に記載の検索装置。
【請求項１１】
前記検索手段によって検索された特定の情報を提供する特定情報提供手段を備えることを特徴とする請求項９または請求項１０に記載の検索装置。
【請求項１２】
前記特定情報提供手段は、前記特定の情報を所定の条件に合致した提供先に提供することを特徴とする請求項１１に記載の検索装置。
【請求項１３】
特定の情報を通信によって取得する特定情報取得手段を備えることを特徴とする請求項７または請求項８に記載の検索装置。
【請求項１４】
前記特定情報取得手段は、前記特定の情報を所定の条件に合致した提供元から取得することを特徴とする請求項１３に記載の検索装置。
【請求項１５】
現在位置を通信によって提供する現在位置提供手段を備える第１の検索装置と、
前記現在位置提供手段によって提供された現在位置を通信によって取得する現在位置取得手段と、前記現在位置取得手段によって取得された現在位置の周辺に関するエリア情報を生成するエリア情報生成手段と、前記エリア情報生成手段によって生成されたエリア情報から特定の情報を検索する検索手段とを備える第２の検索装置とを有することを特徴とする検索システム。
【請求項１６】
前記現在位置提供手段は、前記現在位置を所定の条件に合致した提供先に提供することを特徴とする請求項１５に記載の検索システム。
【請求項１７】
前記現在位置取得手段は、前記現在位置を所定の条件に合致した提供元から取得することを特徴とする請求項１５または請求項１６に記載の検索システム。
【請求項１８】
前記検索手段によって検索された特定の情報を通信によって提供する特定情報提供手段を前記第２の検索装置に備え、
前記特定情報提供手段によって提供された特定の情報を通信によって取得する特定情報取得手段を前記第１の検索装置に備えていることを特徴とする請求項１５ないし請求項１７の何れかに記載の検索システム。
【請求項１９】
前記特定情報提供手段は、前記特定の情報を所定の条件に合致した提供先に提供することを特徴とする請求項１８に記載の検索システム。
【請求項２０】
前記特定情報取得手段は、前記特定の情報を所定の条件に合致した提供元から取得することを特徴とする請求項１８または請求項１９に記載の検索システム。
【請求項２１】
前記エリア情報生成手段は、前記現在位置取得手段によって取得された現在位置の周辺に関する第１のエリア情報とこの第１のエリア情報とは異なる第２のエリア情報とを含む包含エリア情報を生成することを特徴とする請求項１８ないし請求項２０の何れかに記載の検索システム。
【請求項２２】
前記エリア情報生成手段は、目的地の周辺に関する目的エリア情報を含んだ前記包含エリア情報を生成することを特徴とする請求項２１に記載の検索システム。
【請求項２３】
前記包含エリア情報に含まれる各エリア情報に対して優先度を設定する優先度設定手段を備え、
前記検索手段は、前記優先度設定手段によって優先度が高く設定されたエリア情報から順に検索することを特徴とする請求項２１または請求項２２に記載の検索システム。
【請求項２４】
現在位置の周辺に関するエリア情報から特定の情報を検索する検索手段と、
前記現在位置を通信によって提供する現在位置提供手段とを備えることを特徴とする検索装置。
【請求項２５】
前記現在位置提供手段は、現在位置を所定の条件に合致した提供先に対して提供することを特徴とする請求項２４に記載の検索装置。
【請求項２６】
現在位置を通信によって取得する現在位置取得手段と、
前記現在位置取得手段によって取得された現在位置の周辺を示すエリア情報を生成するエリア情報生成手段と、
前記エリア情報生成手段によって生成されたエリア情報から特定の情報を検索する検索手段とを備えることを特徴とする検索装置。
【請求項２７】
前記現在位置取得手段は、前記現在位置を所定の条件に合致した提供元から取得することを特徴とする請求項２６に記載の検索装置。
【請求項２８】
前記検索手段によって検索された特定の情報を提供する特定情報提供手段を備えることを特徴とする請求項２６または請求項２７に記載の検索装置。
【請求項２９】
前記特定情報提供手段は、前記特定の情報を所定の条件に合致した提供先に提供することを特徴とする請求項２５または請求項２６に記載の検索装置。
【請求項３０】
前記エリア情報生成手段は、前記現在位置取得手段によって取得された現在位置の周辺に関する第１のエリア情報とこの第１のエリア情報とは異なる第２のエリア情報とを含む包含エリア情報を生成することを特徴とする請求項２３ないし請求項２９の何れかに記載の検索装置。
【請求項３１】
前記エリア情報生成手段は、目的地周辺に関する目的エリア情報を含んだ前記包含エリア情報を生成することを特徴とする請求項３０に記載の検索装置。
【請求項３２】
前記包含エリア情報に含まれる各エリア情報に対して優先度を設定する優先度設定手段を備え、
前記検索手段は、前記優先度設定手段によって優先度が高く設定されたエリア情報から順に検索することを特徴とする請求項３０または請求項３１に記載の検索装置。
【請求項３３】
特定の情報を取得する特定情報取得手段を備えることを特徴とする請求項２４または請求項２５に記載の検索装置。
【請求項３４】
前記特定情報取得手段は、前記特定の情報を所定の条件に合致した提供元から取得することを特徴とする請求項３０に記載の検索装置。
【請求項３５】
検索キーを用いてエリア情報から特定の情報を検索する検索手段と、前記検索手段によって検索された特定の情報を通信によって提供する特定情報提供手段とを備える第１の検索装置と、
前記特定情報提供手段によって提供された特定の情報を通信によって取得する特定情報取得手段を備える第２の検索装置とを有することを特徴とする検索システム。
【請求項３６】
前記特定情報提供手段は、前記特定の情報を所定の条件に合致した提供先に提供することを特徴とする請求項３５に記載の検索システム。
【請求項３７】
前記特定情報取得手段は、前記特定の情報を所定の条件に合致した提供元から取得することを特徴とする請求項３５または請求項３６に記載の検索システム。
【請求項３８】
検索キーを用いてエリア情報から特定の情報を検索する検索手段と、
前記検索手段によって検索された特定の情報を提供する特定情報提供手段とを備えることを特徴とする検索装置。
【請求項３９】
前記特定情報提供手段は、前記特定の情報を所定の条件に合致した提供先に提供することを特徴とする請求項３８に記載の検索装置。
【請求項４０】
特定の情報を通信によって取得する特定情報取得手段を備えることを特徴とする検索装置。
【請求項４１】
前記特定情報取得手段は、前記特定の情報を所定の条件に合致した提供元から取得することを特徴とする請求項４０に記載の検索装置。
【発明の詳細な説明】
【技術分野】
【０００１】
本発明は、検索キーを用いて特定の情報を検索する検索システムおよび検索装置に関し、より詳しくは、検索された特定の情報に応じて案内を行うナビゲーションシステム等に関するものである。
【背景技術】
【０００２】
従来の検索システムとして、ユーザによって入力された検索キーを送信する車載システムと、車載システムからの検索キーに従って検索処理を実行し検索結果を車載システムに送信するポータルサーバとを備える車輌向けアプリケーションサービス提供方法が知られている（例えば、特許文献１参照）。
【特許文献１】特開２００２−２４４９４７号公報（第９頁、第３図）
【発明の開示】
【発明が解決しようとする課題】
【０００３】
しかしながら、従来の検索システムにおいて、検索処理は検索キーを送信した車載システムと検索キーを受信したポータルサーバとの間でのみなされるにすぎず、検索キーを送信していない車載システムは検索処理に関与しない。したがって、検索処理を通じて各車載システムのユーザ間の意思疎通を図ることができないという問題があった。具体的には、ユーザＡによって入力された「コンビニ」という検索キーは、ユーザＡの車載システムからポータルサーバに送信されているにすぎず、ユーザＢの車載システムに送信されていない。したがって、ユーザＢは、「コンビニ」という検索キーから「コンビニに寄りたい」というユーザＡの意思を推測することができない。
【０００４】
本発明は、従来の問題を解決するためになされたもので、ユーザ間の意思疎通を図ることができる検索システムおよび検索装置を提供することを目的とする。
【課題を解決するための手段】
【０００５】
本発明の検索システムは、検索キーを用いて第１のエリア情報から特定の情報を検索する第１の検索手段と、前記第１の検索手段によって用いられた検索キーを通信によって提供する検索キー提供手段とを備える第１の検索装置と、前記検索キー提供手段によって提供された検索キーを通信によって取得する検索キー取得手段と、前記検索キー取得手段によって取得された検索キーを用いて第２のエリア情報から特定の情報を検索する第２の検索手段とを備える第２の検索装置とを有することを特徴とする構成を有している。
【０００６】
この構成によれば、検索処理が第１の検索装置と第２の検索装置との間で共有化された検索キーを用いて行われるので、共有化された検索キーを通じてユーザ間の意思疎通を図ることができる。
【０００７】
本発明の検索システムにおいて、前記検索キー提供手段は、前記検索キーを所定の条件に合致した提供先に提供することを特徴とする構成を有している。
【０００８】
この構成によれば、検索キーは所定の条件に合致した提供先に提供されるので、所定の条件に合致したユーザと意思疎通を図ることができる。
【０００９】
本発明の検索システムにおいて、前記検索キー取得手段は、前記検索キーを所定の条件に合致した提供元から取得することを特徴とする構成を有している。
【００１０】
この構成によれば、検索キーは所定の条件に合致した提供元から取得されるので、所定の条件に合致したユーザと意思疎通を図ることができる。
【００１１】
本発明の検索システムにおいて、前記第２の検索手段によって検索された特定の情報を通信によって提供する特定情報提供手段を前記第２の検索装置に備え、前記特定情報提供手段によって提供された特定の情報を通信によって取得する特定情報取得手段を前記第１の検索装置に備えていることを特徴とする構成を有している。
【００１２】
この構成によれば、特定の情報が共有化されるので、共有化された特定の情報を通じてユーザ間の意思疎通を図ることができる。
【００１３】
本発明の検索システムにおいて、前記特定情報提供手段は、前記特定の情報を所定の条件に合致した提供先に提供することを特徴とする構成を有している。
【００１４】
この構成によれば、特定の情報は所定の条件に合致した提供先に提供されるので、所定の条件に合致したユーザと意思疎通を図ることができる。
【００１５】
本発明の検索システムにおいて、前記特定情報取得手段は、前記特定の情報を所定の条件に合致した提供元から取得することを特徴とする構成を有している。
【００１６】
この構成によれば、特定の情報は所定の条件に合致した提供元から取得されるので、所定の条件に合致したユーザと意思疎通を図ることができる。
【００１７】
本発明の検索装置は、検索キーを用いてエリア情報から特定の情報を検索する検索手段と、前記検索手段によって用いられた検索キーを通信によって提供する検索キー提供手段とを備えることを特徴とする構成を有している。
【００１８】
この構成によれば、検索キーが共有化されるので、共有化された検索キーを通じてユーザ間の意思疎通を図ることができる。
【００１９】
本発明の検索装置において、前記検索キー提供手段は、前記検索キーを所定の条件に合致した提供先に対して提供することを特徴とする構成を有している。
【００２０】
この構成によれば、検索キーは所定の条件に合致した提供先に提供されるので、所定の条件に合致したユーザと意思疎通を図ることができる。
【００２１】
本発明の検索装置は、検索キーを通信によって取得する検索キー取得手段と、前記検索キー取得手段によって取得された検索キーを用いてエリア情報から特定の情報を検索する検索手段とを備えることを特徴とする構成を有している。
【００２２】
この構成によれば、検索処理が共有化された検索キーを用いて行われるので、共有化された検索キーを通じてユーザ間の意思疎通を図ることができる。
【００２３】
本発明の検索装置において、前記検索キー取得手段は、前記検索キーを所定の条件に合致した提供元から取得することを特徴とする構成を有している。
【００２４】
この構成によれば、検索キーは所定の条件に合致した提供元から取得されるので、所定の条件に合致したユーザと意思疎通を図ることができる。
【００２５】
本発明の検索装置において、前記検索手段によって検索された特定の情報を提供する特定情報提供手段を備えることを特徴とする構成を有している。
【００２６】
この構成によれば、特定の情報が共有化されるので、共有化された特定の情報を通じてユーザ間の意思疎通を図ることができる。
【００２７】
本発明の検索装置において、前記特定情報提供手段は、前記特定の情報を所定の条件に合致した提供先に提供することを特徴とする構成を有している。
【００２８】
この構成によれば、特定の情報は所定の条件に合致した提供先に提供されるので、所定の条件に合致したユーザと意思疎通を図ることができる。
【００２９】
本発明の検索装置は、特定の情報を通信によって取得する特定情報取得手段を備えることを特徴とする構成を有している。
【００３０】
この構成によれば、特定の情報が共有化されるので、共有化された特定の情報を通じてユーザ間の意思疎通を図ることができる。
【００３１】
本発明の検索装置において、前記特定情報取得手段は、前記特定の情報を所定の条件に合致した提供元から取得することを特徴とする構成を有している。
【００３２】
この構成によれば、特定の情報は所定の条件に合致した提供元から取得されるので、所定の条件に合致したユーザと意思疎通を図ることができる。
【００３３】
本発明の検索システムは、現在位置を通信によって提供する現在位置提供手段を備える第１の検索装置と、前記現在位置提供手段によって提供された現在位置を通信によって取得する現在位置取得手段と、前記現在位置取得手段によって取得された現在位置の周辺に関するエリア情報を生成するエリア情報生成手段と、前記エリア情報生成手段によって生成されたエリア情報から特定の情報を検索する検索手段とを備える第２の検索装置とを有することを特徴とする構成を有している。
【００３４】
この構成によれば、検索処理が第１の検索装置と第２の検索装置との間で共有化されたエリア情報を対象にして行われるので、自車位置周辺のエリア以外からも特定の情報を検索することができる。
【００３５】
本発明の検索システムにおいて、前記現在位置提供手段は、前記現在位置を所定の条件に合致した提供先に提供することを特徴とする構成を有している。
【００３６】
この構成によれば、現在位置は所定の条件に合致した提供先に提供されるので、所定の条件に合致したユーザに対して自車位置を知らせることができる。
【００３７】
本発明の検索システムにおいて、前記現在位置取得手段は、前記現在位置を所定の条件に合致した提供元から取得することを特徴とする構成を有している。
【００３８】
この構成によれば、現在位置は所定の条件に合致した提供元から取得されるので、所定の条件に合致したユーザの現在位置を知ることができる。
【００３９】
本発明の検索システムにおいて、前記第２の検索手段によって検索された特定の情報を通信によって提供する特定情報提供手段を前記第２の検索装置に備え、前記特定情報提供手段によって提供された特定の情報を通信によって取得する特定情報取得手段を前記第１の検索装置に備えていることを特徴とする構成を有している。
【００４０】
この構成によれば、特定の情報が共有化されるので、共有化された特定の情報を通じてユーザ間の意思疎通を図ることができる。
【００４１】
本発明の検索システムにおいて、前記特定情報提供手段は、前記特定の情報を所定の条件に合致した提供先に提供することを特徴とする構成を有している。
【００４２】
この構成によれば、特定の情報は所定の条件に合致した提供先に提供されるので、所定の条件に合致したユーザと意思疎通を図ることができる。
【００４３】
本発明の検索システムにおいて、前記特定情報取得手段は、前記特定の情報を所定の条件に合致した提供元から取得することを特徴とする構成を有している。
【００４４】
この構成によれば、特定の情報は所定の条件に合致した提供元から取得されるので、所定の条件に合致したユーザと意思疎通を図ることができる。
【００４５】
本発明の検索システムにおいて、前記エリア情報生成手段は、前記現在位置取得手段によって取得された現在位置の周辺に関する第１のエリア情報とこの第１のエリア情報とは異なる第２のエリア情報とを含む包含エリア情報を生成することを特徴とする構成を有している。
【００４６】
この構成によれば、特定の情報が包含エリア情報から検索されるので、広い地域を対象として情報を得ることができる。
【００４７】
本発明の検索システムにおいて、前記エリア情報生成手段は、目的地の周辺に関する目的エリア情報を含んだ前記包含エリア情報を生成することを特徴とする構成を有している。
【００４８】
この構成によれば、特定の情報が目的エリア情報から検索されるので、目的地周辺の情報を得ることができる。
【００４９】
本発明の検索システムは、前記包含エリア情報に含まれる各エリア情報に対して優先度を設定する優先度設定手段を備え、前記検索手段は、前記優先度設定手段によって優先度が高く設定されたエリア情報から順に検索することを特徴とする構成を有している。
【００５０】
この構成によれば、特定の情報は優先度が高く設定されたエリア情報から順に検索されるので、検索処理を合理的に行うことができる。
【００５１】
本発明の検索装置は、現在位置の周辺に関するエリア情報から特定の情報を検索する検索手段と、前記現在位置を通信によって提供する現在位置提供手段とを備えることを特徴とする構成を有している。
【００５２】
この構成によれば、検索処理が共有化されたエリア情報を対象にして行われるので、自車位置周辺のエリア以外からも特定の情報を検索することができる。
【００５３】
本発明の検索装置において、前記現在位置提供手段は、前記現在位置を所定の条件に合致した提供先に対して提供することを特徴とする構成を有している。
【００５４】
この構成によれば、現在位置は所定の条件に合致した提供先に提供されるので、所定の条件に合致したユーザに対して自車位置を知らせることができる。
【００５５】
本発明の検索装置は、現在位置を通信によって取得する現在位置取得手段と、前記現在位置取得手段によって取得された現在位置の周辺を示すエリア情報を生成するエリア情報生成手段と、前記エリア情報生成手段によって生成されたエリア情報から特定の情報を検索する検索手段とを備えることを特徴とする構成を有している。
【００５６】
この構成によれば、検索処理が共有化されたエリア情報を対象にして行われるので、自車位置周辺のエリア以外からも特定の情報を検索することができる。
【００５７】
本発明の検索装置において、前記現在位置取得手段は、前記現在位置情報を所定の条件に合致した提供元から取得することを特徴とする構成を有している。
【００５８】
この構成によれば、エリア情報は所定の条件に合致した提供元から取得されるので、所定の条件に合致したユーザの現在位置を知ることができる。
【００５９】
本発明の検索装置において、前記検索手段によって検索された特定の情報を提供する特定情報提供手段を備えることを特徴とする構成を有している。
【００６０】
この構成によれば、特定の情報が共有化されるので、共有化された特定の情報を通じてユーザ間の意思疎通を図ることができる。
【００６１】
本発明の検索装置において、前記特定情報提供手段は、前記特定の情報を所定の条件に合致した提供先に提供することを特徴とする構成を有している。
【００６２】
この構成によれば、特定の情報は所定の条件に合致した提供先に提供されるので、所定の条件に合致したユーザと意思疎通を図ることができる。
【００６３】
本発明の検索装置において、前記エリア情報生成手段は、前記現在位置取得手段によって取得された現在位置の周辺に関する第１のエリア情報とこの第１のエリア情報とは異なる第２のエリア情報とを含む包含エリア情報を生成することを特徴とする構成を有している。
【００６４】
この構成によれば、特定の情報が包含エリア情報から検索されるので、広い地域を対象として情報を得ることができる。
【００６５】
本発明の検索装置において、前記エリア情報生成手段は、目的地周辺に関する目的エリア情報を含んだ前記包含エリア情報を生成することを特徴とする構成を有している。
【００６６】
この構成によれば、特定の情報が目的エリア情報から検索されるので、目的地周辺の情報を得ることができる。
【００６７】
本発明の検索装置は、前記包含エリア情報に含まれる各エリア情報に対して優先度を設定する優先度設定手段を備え、前記検索手段は、前記優先度設定手段によって優先度が高く設定されたエリア情報から順に検索することを特徴とする構成を有している。
【００６８】
この構成によれば、特定の情報が優先度を高く設定した分割エリア情報から順に検索されるので、検索処理を合理的に行うことができる。
【００６９】
本発明の検索装置は、特定の情報を取得する特定情報取得手段を備えることを特徴とする構成を有している。
【００７０】
この構成によれば、特定の情報が共有化されるので、共有化された特定の情報を通じてユーザ間の意思疎通を図ることができる。
【００７１】
本発明の検索装置において、前記特定情報取得手段は、前記特定の情報を所定の条件に合致した提供元から取得することを特徴とする構成を有している。
【００７２】
この構成によれば、特定の情報は所定の条件に合致した提供元から取得されるので、所定の条件に合致したユーザと意思疎通を図ることができる。
【００７３】
本発明の検索システムは、検索キーを用いてエリア情報から特定の情報を検索する検索手段と、前記検索手段によって検索された特定の情報を通信によって提供する特定情報提供手段とを備える第１の検索装置と、前記特定情報提供手段によって提供された特定の情報を通信によって取得する特定情報取得手段を備える第２の検索装置とを有することを特徴とする構成を有している。
【００７４】
この構成によれば、特定の情報が第１の検索装置と第２の検索装置との間で共有化されるので、共有化された特定の情報を通じてユーザ間の意思疎通を図ることができる。
【００７５】
本発明の検索システムにおいて、前記特定情報提供手段は、前記特定の情報を所定の条件に合致した提供先に提供することを特徴とする構成を有している。
【００７６】
この構成によれば、特定の情報は所定の条件に合致した提供先に提供されるので、所定の条件に合致したユーザと意思疎通を図ることができる。
【００７７】
本発明の検索システムにおいて、前記特定情報取得手段は、前記特定の情報を所定の条件に合致した提供元から取得することを特徴とする構成を有している。
【００７８】
この構成によれば、特定の情報は所定の条件に合致した提供元から取得されるので、所定の条件に合致したユーザと意思疎通を図ることができる。
【００７９】
本発明の検索装置は、検索キーを用いてエリア情報から特定の情報を検索する検索手段と、前記検索手段によって検索された特定の情報を提供する特定情報提供手段とを備えることを特徴とする構成を有している。
【００８０】
この構成によれば、特定の情報が共有化されるので、共有化された特定の情報を通じてユーザ間の意思疎通を図ることができる。
【００８１】
本発明の検索装置において、前記特定情報提供手段は、前記特定の情報を所定の条件に合致した提供先に提供することを特徴とする構成を有している。
【００８２】
この構成によれば、特定の情報は所定の条件に合致した提供先に提供されるので、所定の条件に合致したユーザと意思疎通を図ることができる。
【００８３】
本発明の検索装置において、特定の情報を通信によって取得する特定情報取得手段を備えることを特徴とする構成を有している。
【００８４】
この構成によれば、特定の情報が共有化されるので、共有化された特定の情報を通じてユーザ間の意思疎通を図ることができる。
【００８５】
本発明の検索装置において、前記特定情報取得手段は、前記特定の情報を所定の条件に合致した提供元から取得することを特徴とする構成を有している。
【００８６】
この構成によれば、特定の情報は所定の条件に合致した提供元から取得されるので、所定の条件に合致したユーザと意思疎通を図ることができる。
【発明の効果】
【００８７】
本発明は、検索キーを用いて第１のエリア情報から特定の情報を検索する第１の検索手段と、検索キーを通信によって提供する検索キー提供手段とを第１の検索装置に設け、前記検索キー提供手段によって提供された検索キーを通信によって取得する検索キー取得手段と、前記検索キー取得手段によって取得された検索キーを用いて第２のエリア情報から特定の情報を検索する第２の検索手段とを第２の検索装置に設けることによって、検索処理が第１の検索装置と第２の検索装置との間で共有化された検索キーを用いて行われるので、共有化された検索キーを通じてユーザ間の意思疎通を図ることができるという効果を有する検索システムおよび検索装置を提供することができるものである。
【発明を実施するための最良の形態】
【００８８】
以下、本発明の実施の形態である検索システムを構成するナビゲーションシステムについて、図１ないし図１１を参照して説明する。まず、図１ないし図６を参照して、第１の実施の形態を構成するナビゲーションシステム１について説明する。
【００８９】
図１に示すように、ナビゲーションシステム１は、検索装置としての機能を有し各車輌にそれぞれ搭載されたナビゲーション装置２ａおよびナビゲーション装置２ｂと、ナビゲーション装置２ａとナビゲーション装置２ｂとの間の通信を中継する中継局３とを備える。
【００９０】
図２に示すように、ナビゲーション装置２ａおよびナビゲーション装置２ｂは、それぞれ、方位を検知する方位センサ４、距離を検知する距離センサ５および現在位置を測位するためのＧＰＳ電波を受信するＧＰＳ受信機６に接続された入力Ｉ／Ｆ７と、ＤＶＤ−ＲＡＭなどの記憶媒体から地図情報や施設情報などの各種情報を読み取る読取機８と、最新の交通情報や施設情報などの各種情報を送受信する送受信機９と、各種プログラムを格納するＲＯＭ１０と、ＲＯＭ１０に格納された各種プログラムを実行するＣＰＵ１１と、ＣＰＵ１１による処理結果などを記憶するＲＡＭ１２と、ＣＰＵ１１による処理結果を画像情報として出力するディスプレイ部１３と、ＣＰＵ１１による処理結果を音声情報として出力するスピーカ部１４とを備え、ディスプレイ部１３には、接触によって各種指示信号を発生するタッチパネル部１５が設けられている。
【００９１】
ＲＯＭ１０には、コンピュータを、検索キーを用いて第１のエリア情報から特定の情報を検索する第１の検索手段と、第１の検索手段によって用いられた検索キーを通信によって提供する検索キー提供手段と、検索キー提供手段によって提供された検索キーを通信によって取得する検索キー取得手段と、検索キー取得手段によって取得された検索キーを用いて第２のエリア情報から特定の情報を検索する第２の検索手段と、第２の検索手段によって検索された特定の情報を通信によって提供する特定情報提供手段と、特定情報提供手段によって提供された特定の情報を通信によって取得する特定情報取得手段として機能させるためのプログラムが格納されている。
【００９２】
以上のように構成されたナビゲーションシステム１について、図３ないし図６を参照してその動作を説明する。説明の便宜上、図３に示すように、ナビゲーション装置２ａは道路Ｒ１上を走行する車輌に搭載され、他方、ナビゲーション装置２ｂは道路Ｒ２上を走行する車輌に搭載されているとする。
【００９３】
また、第１のエリアはナビゲーション装置２ａを搭載した車両の現在位置周辺エリアであって、第１のエリアに関する情報を第１のエリア情報とする。一方、第２のエリアはナビゲーション装置２ａを搭載した車両の現在位置周辺エリアであって、第２のエリアに関する情報を第２のエリア情報とする。
【００９４】
図４に示すように、ナビゲーション装置２ａにおいて、ユーザが検索キーをタッチパネル１５上で入力すると、ＣＰＵ１１は、ＲＯＭ１０に格納されたプログラムを実行してタッチパネル１５からの指示信号を処理し、読取機８を通じてＤＶＤ−ＲＡＭに格納された第１のエリア情報から検索キーに合致した特定の情報を検索する（ステップＳ１）。例えば、入力された検索キーが「コンビニ」であれば、コンビニ情報が特定の情報として検索される。
【００９５】
このとき、特定の情報が第１のエリア情報に存在すれば、ＣＰＵ１１は、ＲＯＭ１０に格納されたプログラムを実行して、特定の情報をディスプレイ１３上に表示する（ステップＳ２）。例えば、特定の情報がコンビニ情報であれば、図５（ａ）に示すように、ディスプレイ１３上にコンビニマーク「ＣＶＳ」が表示される。
【００９６】
また、検索キーが入力されると、ＣＰＵ１１は、ＲＯＭ１０に格納されたプログラムを実行し、送受信機９を通じて検索キーを提供する（ステップＳ３）。このとき、ナビゲーション装置２ａのユーザがタッチパネル１５上で検索キーの提供先を指定すれば、検索キーは指定された提供先にのみ提供される。提供先の条件として、提供元と提供先との距離、提供先が既知であるか否か、車輌の走行状態、ナビゲーション装置の性能、利用課金モデルなどがある。
【００９７】
検索キーが提供されると、ナビゲーション装置２ｂにおいて、ＣＰＵ１１は、ＲＯＭ１０に格納されたプログラムを実行し、送受信機９を通じて検索キーを取得する（ステップＳ４）。例えば、ナビゲーション装置２ａが「コンビニ」という検索キーを提供すると、ナビゲーション装置２ｂは「コンビニ」という検索キーを取得する。このとき、ナビゲーション装置２ｂのユーザがタッチパネル１５上で検索キーの提供元を指定すれば、検索キーは指定された提供元からのみ取得される。提供元の条件として、提供元と提供先との距離、提供元が既知であるか否か、車輌の走行状態、ナビゲーション装置の性能、利用課金モデルなどがある。
【００９８】
検索キーが取得されると、ＣＰＵ１１は、ＲＯＭ１０に格納されたプログラムを実行して検索キーを処理し、読取機８を通じてＤＶＤ−ＲＡＭに格納された第２のエリア情報から検索キーに合致した特定の情報を検索する（ステップＳ５）。例えば、取得された検索キーが「コンビニ」であれば、コンビニ情報が特定の情報として検索される。
【００９９】
このとき、特定の情報が第２のエリア情報に存在すれば、ＣＰＵ１１は、ＲＯＭ１０に格納されたプログラムを実行して、特定の情報をディスプレイ１３上に表示する（ステップＳ６）。例えば、特定の情報がコンビニ情報であれば、図６に示すように、コンビニマークがディスプレイ１３上に表示される。
【０１００】
また、特定の情報が第２のエリア情報に存在すれば、ＣＰＵ１１は、ＲＯＭ１０に格納されたプログラムを実行して、送受信機９を通じて第２のエリア情報から検索された特定の情報を提供する（ステップＳ７）。このとき、ナビゲーション装置２ｂのユーザがタッチパネル１５上で検索キーの提供先を指定すれば、特定の情報は指定された提供先にのみ提供される。提供先の条件として、提供元と提供先との距離、提供先が既知であるか否か、車輌の走行状態、ナビゲーション装置の性能、利用課金モデルなどがある。
【０１０１】
特定の情報が提供されると、ナビゲーション装置２ａにおいて、ＣＰＵ１１は、ＲＯＭ１０に格納されたプログラムを実行し、送受信機９を通じて特定の情報を取得する（ステップＳ８）。例えば、ナビゲーション装置２ｂが特定の情報としてコンビニ情報を提供すれば、ナビゲーション装置２ａは、コンビニ情報を取得する。このとき、ナビゲーション装置２ａのユーザがタッチパネル１５上で特定の情報の提供元を指定すれば、特定の情報は指定された提供元からのみ取得される。提供元の条件として、提供元と提供先との距離、提供元が既知であるか否か、車輌の走行状態、ナビゲーション装置の性能、利用課金モデルなどがある。
【０１０２】
特定の情報が取得されると、ＣＰＵ１１は、ＲＯＭ１０に格納されたプログラムを実行し、特定の情報が示す目的物の所在地などをディスプレイ１３上に表示する（ステップＳ９）。具体的には、特定の情報がコンビニ情報である場合、図５（ｂ）に示すように、「Ｒ２号線沿いに○×マートがあります」という表示がなされる。また、ＣＰＵ１１が、ＲＯＭ１０に格納されたプログラムを実行し、コンビニ情報に基づいてコンビニの所在地などをスピーカ１４を通じて案内してもよい。
【０１０３】
以上本実施の形態では、ＲＯＭ１０には、コンピュータを、検索キー提供手段と、検索キー取得手段と、検索手段と、特定の情報提供手段と、特定の情報取得手段として機能させるためのプログラムが格納されている場合について説明したが、この場合に限られるものではない。例えば、ＲＯＭ１０には、コンピュータを、検索手段と、特定の情報提供手段と、特定の情報取得手段としてのみ機能させるためのプログラムが格納されている場合であってもよい。
【０１０４】
本実施の形態によれば、検索キーがナビゲーション装置２ａとナビゲーション装置２ｂとの間で共有化されて、ナビゲーション装置２ｂはナビゲーション装置２ａで用いられた検索キーに合致した特定の情報を検索するので、ナビゲーション装置２ｂのユーザは特定の情報の検索を通じてナビゲーション装置２ａのユーザの意思を推定でき、ユーザ間の意思疎通を図ることができる。具体的には、コンビニという検索キーが共有化されることで、ナビゲーション装置２ａのユーザの「コンビニに寄りたい」という意思が、ナビゲーション装置２ｂのユーザに通じるので、各ユーザは待ち合わせ場所の設定などを適切に行うことができる。
【０１０５】
本実施の形態によれば、特定の情報がナビゲーション装置２ａとナビゲーション装置２ｂとの間で共有化されるので、ナビゲーション装置２ａは、第１のエリア内に位置しながら第２のエリアに関する第２のエリア情報からも特定の情報を取得するので、ユーザの希望に沿った最適な情報を提供することができる。
【０１０６】
本実施の形態によれば、検索キーの共有化は所定の条件を満たすユーザ間で行われるので、ユーザ間の意思疎通を特定のユーザ間でのみ図ることができる。
【０１０７】
本実施の形態によれば、特定の情報の共有化は所定の条件を満たすユーザ間で行われるので、所定の条件を満たすユーザの希望に沿った最適な情報を提供することができる。
【０１０８】
次に、図７ないし図１２を参照して、第２の実施の形態を構成するナビゲーションシステム２１について説明する。以下の説明では、第１の実施の形態と同一の構成には同一の図番を用いている。
【０１０９】
図７に示すように、ナビゲーションシステム２１は、検索装置としての機能を有し各車輌にそれぞれ搭載されたナビゲーション装置２２ａおよびナビゲーション装置２２ｂと、ナビゲーション装置２２ａとナビゲーション装置２２ｂとの間の通信を中継する中継局２３とを備える。
【０１１０】
図８に示すように、ナビゲーション装置２２ａおよびナビゲーション装置２２ｂは、各種プログラムを格納するＲＯＭ３０を備え、ＲＯＭ３０には、コンピュータを、現在位置を通信によって提供する現在位置提供手段と、現在位置提供手段によって提供された現在位置を通信によって取得する現在位置取得手段と、現在位置取得手段によって取得された現在位置の周辺に関するエリア情報を生成するエリア情報生成手段と、エリア情報生成手段によって生成されたエリア情報から特定の情報を検索する検索手段と、検索手段によって検索された特定の情報を通信によって提供する特定情報提供手段と、特定情報提供手段によって提供された特定の情報を通信によって取得する特定情報取得手段と、各エリア情報に対して優先度を設定する優先度設定手段として機能させるためのプログラムが格納されている。
【０１１１】
以上のように構成されたナビゲーションシステム２１について、図９ないし図１２を参照してその動作を説明する。説明の便宜上、図９に示すように、ナビゲーション装置２２ａは道路Ｒ１上を走行する車輌に搭載され、他方、ナビゲーション装置２２ｂは道路Ｒ２上を走行する車輌に搭載されているとする。
【０１１２】
また、第１のエリアはナビゲーション装置２２ａを搭載した車両の現在位置周辺エリアであって、第１のエリアに関する情報を第１のエリア情報とする。一方、第２のエリアはナビゲーション装置２２ｂを搭載した車両の現在位置周辺エリアであって、第２のエリアに関する情報を第２のエリア情報とする。さらに、第３のエリアは各車両の目的地周辺エリアであって、第３のエリアに関する情報を第３のエリア情報とする。包含エリアは、第１のエリア、第２のエリアおよび第３のエリアを含み、、包含エリアに関する情報を包含エリア情報とする。
【０１１３】
図１０に示すように、ナビゲーション装置２２ａにおいて、ユーザが第１の検索キーをタッチパネル１５上で入力すると、ＣＰＵ１１は、ＲＯＭ３０に格納されたプログラムを実行してタッチパネル１５からの指示信号を処理し、読取機８を通じてＤＶＤ−ＲＡＭに格納された第１のエリア情報を読み出し、第１のエリア情報から第１の検索キーに合致した特定の情報を検索する（ステップＳ１１）。例えば、入力された検索キーが「レストラン」であれば、レストラン情報が特定の情報として検索される。
【０１１４】
このとき、特定の情報が第１のエリア情報に存在すれば、ＣＰＵ１１は、ＲＯＭ３０に格納されたプログラムを実行して、特定の情報をディスプレイ１３上に表示する（ステップＳ１２）。
【０１１５】
また、検索キーが入力されると、ＣＰＵ１１は、ＲＯＭ１０に格納されたプログラムを実行し、ナビゲーション装置２２ａの現在位置を送受信機９を通じて提供する（ステップＳ１３）。このとき、ナビゲーション装置２ａのユーザがタッチパネル１５上で現在位置の提供先を指定すれば、現在位置は指定された提供先にのみ提供される。提供先の条件として、提供元と提供先との距離、提供先が既知であるか否か、車輌の走行状態、ナビゲーション装置の性能、利用課金モデルなどがある。
【０１１６】
現在位置が提供されると、ナビゲーション装置２２ｂにおいて、ＣＰＵ１１は、ＲＯＭ３０に格納されたプログラムを実行し、ナビゲーション装置２２ａの現在位置を送受信機９を通じて取得する（ステップＳ１４）。このとき、ナビゲーション装置２２ｂのユーザがタッチパネル１５上で現在位置の提供元を指定すれば、現在位置は指定された提供元からのみ取得される。提供元の条件として、提供元と提供先との距離、提供元が既知であるか否か、車輌の走行状態、ナビゲーション装置の性能、利用課金モデルなどがある。
【０１１７】
ナビゲーション装置２２ａの現在位置が取得されると、ＣＰＵ１１は、ＲＯＭ３０に格納されたプログラムを実行し読取機８を通じてＤＶＤ−ＲＡＭからナビゲーション装置２２ａの現在位置周辺の情報を読み取る。すなわち、ＣＰＵ１１は、ＲＯＭ３０に格納されたプログラムを実行して第１のエリア情報を生成する（ステップＳ１５）。このとき、ＣＰＵ１１は、ＲＯＭ３０に格納されたプログラムを実行して第１のエリア情報、第２のエリア情報および第３のエリア情報を含む包含エリア情報を生成することが好ましい。
【０１１８】
第１のエリア情報が生成されると、ＣＰＵ１１は、ＲＯＭ３０に格納されたプログラムを実行して第１のエリア情報から検索キーに合致した特定の情報を検索する（ステップＳ６）。例えば、取得された検索キーが「レストラン」であれば、レストラン情報が特定の情報として検索される。このとき、ステップＳ１５において、包含エリア情報が生成されていれば、ＣＰＵ１１は、ＲＯＭ３０に格納されたプログラムを実行して包含エリア情報から検索キーに合致した特定の情報を検索する。このように、特定の情報が包含エリア情報から検索される場合、ＣＰＵ１１は、ＲＯＭ３０に格納されたプログラムを実行し、特定の情報を各エリア情報に設定された優先度に従って順に検索することが好ましい。
【０１１９】
このとき、特定の情報が第１のエリア情報に存在すれば、ＣＰＵ１１は、ＲＯＭ３０に格納されたプログラムを実行して、特定の情報をディスプレイ１３上に表示する（ステップＳ１７）。このとき、ステップＳ１６において、特定の情報が包含エリア情報から検索されていれば、ＣＰＵ１１は、ＲＯＭ３０に格納されたプログラムを実行して包含エリア情報から検索された特定の情報を表示することが好ましい。例えば、「レストラン」という検索キーが用いられている場合、レストラン情報が特定の情報として包含エリア情報から検索されると、図１１（ａ）に示すように、「Ｒ１号線とＲ２号線との合流点付近にステーキ〇△があります」という案内がなされる。
【０１２０】
また、特定の情報が第１のエリア情報に存在すれば、ＣＰＵ１１は、ＲＯＭ３０に格納されたプログラムを実行して、送受信機９を通じて第１のエリア情報から検索された特定の情報を提供する（ステップＳ１８）。このとき、ナビゲーション装置２２ｂのユーザがタッチパネル１５上で検索キーの提供先を指定すれば、特定の情報は指定された提供先にのみ提供される。提供先の条件として、提供元と提供先との距離、提供先が既知であるか否か、車輌の走行状態、ナビゲーション装置の性能、利用課金モデルなどがある。また、ステップＳ１６において、特定の情報が包含エリア情報から検索されていれば、ＣＰＵ１１は、ＲＯＭ３０に格納されたプログラムを実行して包含エリア情報から検索された特定の情報を提供することが好ましい。
【０１２１】
特定の情報が提供されると、ナビゲーション装置２２ａにおいて、ＣＰＵ１１は、ＲＯＭ３０に格納されたプログラムを実行し、送受信機９を通じて特定の情報を取得する（ステップＳ１９）。例えば、ナビゲーション装置２２ｂが特定の情報としてレストラン情報を提供すれば、ナビゲーション装置２２ａは、レストラン情報を取得する。このとき、ナビゲーション装置２２ａのユーザがタッチパネル１５上で特定の情報の提供元を指定すれば、特定の情報は指定された提供元からのみ取得される。提供元の条件として、提供元と提供先との距離、提供元が既知であるか否か、車輌の走行状態、ナビゲーション装置の性能、利用課金モデルなどがある。また、ステップＳ１８において、包含エリア情報から検索された特定の情報が提供されていれば、ＣＰＵ１１は、ＲＯＭ３０に格納されたプログラムを実行して包含エリア情報から検索された特定の取得する。
【０１２２】
特定の情報が取得されると、ＣＰＵ１１は、ＲＯＭ３０に格納されたプログラムを実行し、特定の情報が示す目的物の所在地などをディスプレイ１３上に表示する（ステップＳ２０）。例えば、包含エリア情報から検索されたレストラン情報が取得された場合、図１１（ｂ）に示すように、「Ｒ１号線とＲ２号線との合流点付近にステーキ〇△があります」という案内がなされる。
【０１２３】
以上本実施の形態によれば、検索処理がナビゲーション装置２２ａとナビゲーション装置２２ｂとの間で共有化された第１のエリア情報を対象にして行われるので、ナビゲーション装置２２ｂは、ナビゲーション装置２２ａの現在位置周辺に関する第１のエリア情報からも特定の情報を検索することができる。
【０１２４】
本実施の形態によれば、ナビゲーション装置２２ａの現在位置は所定の条件に合致したナビゲーション装置２２ｂに提供されるので、ナビゲーション装置２２ｂのユーザに対してナビゲーション装置２２ａの現在位置を知らせることができる。
【０１２５】
本実施の形態によれば、現在位置は所定の条件に合致したナビゲーション装置２２ａから取得されるので、ナビゲーション装置２２ａのユーザの現在位置を知ることができる。
【０１２６】
本実施の形態によれば、特定の情報が共有化されるので、共有化された特定の情報を通じてナビゲーション装置２２ａおよびナビゲーション装置２２ｂのユーザ間の意思疎通を図ることができる。
【０１２７】
本実施の形態によれば、特定の情報は所定の条件に合致したナビゲーション装置２２ａに提供されるので、ナビゲーション装置２２ａおよびナビゲーション装置２２ｂのユーザ間で意思疎通を図ることができる。
【０１２８】
本実施の形態によれば、特定の情報は所定の条件に合致したナビゲーション装置２２ｂから取得されるので、ナビゲーション装置２２ａおよびナビゲーション装置２２ｂのユーザ間で意思疎通を図ることができる。
【０１２９】
本実施の形態によれば、特定の情報が包含エリア情報から検索されるので、広い地域を対象として情報を得ることができる。
【０１３０】
本実施の形態によれば、特定の情報が目的エリア情報から検索されるので、目的地周辺の情報を得ることができる。
【０１３１】
本実施の形態によれば、特定の情報は優先度が高く設定されたエリア情報から順に検索されるので、検索処理を合理的に行うことができる。
【０１３２】
なお、以上の各実施の形態の説明では、検索装置を車輌用のナビゲーション装置で構成した例について説明したが、ＧＰＳ付き携帯電話などについても同様に実施可能である。
【産業上の利用可能性】
【０１３３】
以上のように、本発明に係る検索キーを用いて特定の情報を検索する検索システムおよび検索装置は、検索処理が第１の検索装置と第２の検索装置との間で共有化された検索キーを用いて行われるので、共有化された検索キーを通じてユーザ間の意思疎通を図ることができるという効果を有し、検索された特定の情報に応じて案内を行うナビゲーションシステム等として有用である。
【図面の簡単な説明】
【０１３４】
【図１】本発明の第１の実施の形態である検索システムを構成するナビゲーションシステムの概念を示す概念図
【図２】本発明の検索装置を構成するナビゲーション装置の構成を示すブロック図
【図３】本発明の検索装置を構成する各ナビゲーション装置の位置関係を示す図
【図４】本発明の第１の実施の形態である検索システムを構成するナビゲーションシステムの動作を示すイベントフロー図
【図５】（ａ）本発明の第１の実施の形態において第１のエリアの標準的な表示態様を示す図（ｂ）本発明の第１の実施の形態において特定の情報が取得された後の表示態様を示す図
【図６】本発明の第１の実施の形態において第２のエリアを表示する際の標準的な表示態様を示す図
【図７】本発明の第２の実施の形態である検索システムを構成するナビゲーションシステムの概念を示す概念図
【図８】本発明の検索装置を構成するナビゲーション装置の構成を示すブロック図
【図９】本発明の検索装置を構成する各ナビゲーション装置の位置関係を示す図
【図１０】本発明の第２の実施の形態である検索システムを構成するナビゲーションシステムの動作を示すイベントフロー図
【図１１】（ａ）本発明の検索装置を構成するナビゲーション装置２２ｂの表示態様を示す図（ｂ）本発明の検索装置を構成するナビゲーション装置２２ａの表示態様を示す図
【符号の説明】
【０１３５】
１、２１    ナビゲーションシステム
２、２２    ナビゲーション装置
１０、３０    ＲＯＭ
１１    ＣＰＵ
【図１】
2005196383.tif 000003
【図２】
2005196383.tif 000004
【図３】
2005196383.tif 000005
【図４】
2005196383.tif 000006
【図５】
2005196383.tif 000007
【図６】
2005196383.tif 000008
【図７】
2005196383.tif 000009
【図８】
2005196383.tif 000010
【図９】
2005196383.tif 000011
【図１０】
2005196383.tif 000012
【図１１】
2005196383.tif 000013